(57)【要約】      （修正有）【課題】ヒトの身体の回旋運動に着目し、身体の回旋運動を促進させるとともに、当該回旋運動に伴う身体への障害を予防して、円滑な回旋運動ができ、且つ、一般的な靴中敷きと同様に違和感なく靴を着用することのできる一対の靴中敷き等を提供する。【解決手段】一方の第一中敷き１の後方領域で着用者の踵部当接面近傍が隆起した隆起部３を設け、着用者足部の種子骨から踵骨まで側面視で湾曲する骨部のうち踵骨のみを持ち上げて身体重心を爪先側に移動させるとともに、他方の第二靴中敷き４の後方領域の外縁後方に向かって斜め方向に傾斜した傾斜部５を設け、着用者足部の踵骨の外側への移動を抑制することにより、着用者の身体の円滑な回旋運動を促進させる。【選択図】図３
2018114271.tif 000002
【特許請求の範囲】
【請求項１】
靴に挿入する一対の靴中敷きであって、
一方の第一靴中敷きは、中敷き本体と、当該中敷き本体の後方領域で着用者の踵部当接面近傍が隆起した隆起部とを備え、着用者足部の種子骨から踵骨まで側面視で湾曲する骨部のうち踵骨のみを持ち上げることを特徴とする一対の靴中敷き。
【請求項２】
前記隆起部の高さが前記中敷き本体表面から１．０〜５．０ｍｍであることを特徴とする請求項１に記載の靴中敷き。
【請求項３】
前記隆起部の前後幅が前記中敷き本体の後端から３０〜８０ｍｍであることを特徴とする請求項１又は２のいずれかに記載の靴中敷き。
【請求項４】
靴に挿入する一対の靴中敷きであって、
他方の第二靴中敷きは、中敷き本体と、当該中敷き本体の後方領域の外縁後方に向かって斜め方向に傾斜した傾斜部を備え、着用者足部の踵骨の外側への移動を抑制することを特徴とする請求項１乃至３のいずれかに記載の一対の靴中敷き。
【請求項５】
前記傾斜部の高さが前記中敷き本体表面から１．０〜５．０ｍｍであり、当該傾斜部の傾斜角が１〜５度であることを特徴とする請求項４に記載の一対の靴中敷き。
【請求項６】
前記傾斜部の前後幅が前記中敷き本体の後端から３０〜８０ｍｍであることを特徴とする請求項４又は５のいずれかに記載の一対の靴中敷き。
【請求項７】
前記隆起部又は傾斜部のいずれか又は両方において、所定の厚みのシートを積重して、前記隆起部の厚み又は傾斜部の高さ・傾斜角の調節が可能であることを特徴とする請求項１乃至６のいずれかに記載の一対の靴中敷き。
【請求項８】
前記請求項１乃至７のいずれかに記載の一対の靴中敷きを挿入したことを特徴とする一対の履物類。
【請求項９】
一対の履物類又は靴下類であって、
一方の第一靴又は第一靴下の着用者の足裏が当接する底部は、当該底部の表面の後方領域で着用者の踵部当接面近傍が隆起した隆起部を備え、着用者足部の種子骨から踵骨まで側面視で湾曲する骨部のうち踵骨のみを持ち上げることを特徴とする一対の履物類又は靴下類。
【請求項１０】
前記隆起部の高さが前記底部の表面から１．０〜５．０ｍｍであることを特徴とする請求項９に記載の一対の履物類又は靴下類。
【請求項１１】
前記隆起部の前後幅が前記底部の後端から３０〜８０ｍｍであることを特徴とする請求項９又は１０のいずれかに記載の一対の履物類又は靴下類。
【請求項１２】
一対の履物類又は靴下類であって、
他方の第二靴又は第二靴下の着用者の足裏が当接する底部は、当該底部の後方領域の外縁後方に向かって斜め方向に傾斜した傾斜部を備え、着用者足部の踵骨の外側への移動を抑制することを特徴とする請求項９乃至１１のいずれかに記載の履物類又は靴下類。
【請求項１３】
前記傾斜部の高さが前記底部の表面から１．０〜５．０ｍｍであり、当該傾斜部の傾斜角が１〜５度であることを特徴とする請求項１２に記載の一対の履物類又は靴下類。
【請求項１４】
前記傾斜部の前後幅が前記底部の後端から３０〜８０ｍｍであることを特徴とする請求項１２又は１３のいずれかに記載の一対の履物類又は靴下類。
【請求項１５】
前記隆起部又は傾斜部のいずれか又は両方において、所定の厚みのシートを積重して、前記隆起部の厚み又は傾斜部の高さ・傾斜角の調節が可能であることを特徴とする請求項９乃至１５のいずれかに記載の一対の履物類又は靴下類。
【発明の詳細な説明】
【技術分野】
【０００１】
本発明は、身体の回旋運動を促進させるとともに、繰り返す回旋運動に伴う身体への障害を予防して、円滑な回旋運動ができ、且つ、一般的な靴中敷きと同様に違和感なく靴を着用することのできる一対の靴中敷き及び一対の履物類、並びに、身体の回旋運動を促進させるとともに、繰り返す回旋運動に伴う身体への障害を予防して、円滑な回旋運動ができる一対の靴下類に関する。
【背景技術】
【０００２】
従来、ゴルフ、野球又はテニス等の身体を回旋させる運動を行うスポーツにおいて、その回旋を補助する靴中敷きが種々提供されている。例えば、脚底内部よりも外側が高くなった肉厚部を踵骨から小指第五中足骨の付け根部を超える位置まで形成して、踵骨を外反させるようにしたゴルフフォーム矯正用靴中敷きが提供されている（特許文献１）。当該ゴルフフォーム矯正用靴中敷きによれば、前記肉厚部が着用者の利き足の踵骨を外反させるため、利き足の膝が内側に向くように強制されるので、身体の軸のずれを防止でき、逆足への体重移動も円滑に行え、飛距離のアップ、ショットの正確性を改善することができる。
【先行技術文献】
【特許文献】
【０００３】
【特許文献１】特開平８−２２８８０２号公報
【発明の概要】
【発明が解決しようとする課題】
【０００４】
しかしながら、前記従来の技術では、スイング時の軸のずれを防止することができるとは言え、着用者の身体の回旋、前記従来の技術では特にバックスイング時の回旋を促進させることはできず、逆に肉厚部によって身体の回旋運動を阻害して適切なスイングができなくなるおそれもあった。すなわち、前記スイングを伴うスポーツにおいては、軸のずれを防止させることも必要ではあるが、基本的には身体の回旋を促進させることにより、十分なスイングでパフォーマンスを向上させるのが肝要である。
【０００５】
一般的に、身体の回旋運動において、ヒトには夫々、左右どちらか一方の方向に円滑に回旋するという身体的特徴としての傾向がある。具体的には、身体が左側に円滑に回旋する傾向にある場合（右側への旋回可動範囲が左側に対してより狭い場合）、右側への回旋時には左足踵部に身体重心が移動してしまい、右側への回旋運動が阻害され、逆に、身体が右側に円滑に回旋する傾向にある場合は、左側への回旋時に右足踵部に身体重心が移動してしまい、左側への回旋運動が阻害されてしまう。そのため、各個人において円滑に回旋する方向（以下、円滑回旋方向という。）とは逆側への回旋運動を促進させるためには、各個人の円滑回旋方向と同側の足において、当該踵部へと身体重心が移動するのを改善させる必要がある。
【０００６】
また、他方、身体が左側に円滑に回旋する傾向にある場合、右側への回旋時に、右足踵骨が足裏の内側が地面から離れるように過剰に外側に傾斜し、逆に、右側へ円滑に回旋する傾向がある場合は、左側への回旋時に、左足踵骨が過剰に外側に傾斜する傾向がある。このような踵骨の過剰な外側傾斜は、継続的に反復すると足首の捻挫又は膝の靱帯損傷等の障害の原因となる。そのため、当該障害を予防するためには、各個人における円滑回旋方向とは逆側の足において、当該踵骨が過剰に外側傾斜するのを抑制させる必要がある。
【０００７】
さらに、一般的に、ゴルフフォーム等を矯正するための靴中敷きは、前記従来技術のような肉厚部が、着用時、足裏に違和感を覚えさせることが多々あり、感覚的に円滑なスイングを行えないという問題もあった。
【０００８】
そこで、本発明は、ヒトの身体の回旋運動に着目し、身体の回旋運動を促進させるとともに、当該回旋運動に伴う身体への障害を予防して、円滑な身体の回旋運動ができ、且つ、一般的な靴中敷きと同様に違和感なく靴を着用することのできる一対の靴中敷き及び一対の履物類、並びに、ヒトの身体の回旋運動に着目し、身体の回旋運動を促進させるとともに、当該回旋運動に伴う身体への障害を予防して、円滑な身体の回旋運動ができる一対の靴下類を提供することを課題とした。
【課題を解決するための手段】
【０００９】
上記課題を解決するために、本発明は次のように構成した。すなわち、本発明に係る一対の靴中敷きは、靴に挿入する一対の靴中敷きであって、一方の第一靴中敷きが、中敷き本体及び当該中敷き本体の後方領域で着用者の踵部当接面近傍が隆起した隆起部を備え、着用者足部の種子骨から踵骨まで側面視で湾曲する骨部のうち踵骨のみを持ち上げることを特徴としている。
【００１０】
また、一対の履物類及び靴下類は、一方の第一靴の着用者の足裏が当接する底部が、当該底部の表面の後方領域で着用者の踵部当接面近傍が隆起した隆起部を備え、着用者足部の種子骨から踵骨まで側面視で湾曲する骨部のうち踵骨のみを持ち上げることを特徴としている。
【００１１】
また、前記第一靴中敷き、第一靴及び第一靴下の隆起部の高さは、前記中敷き本体表面又は底部表面から１．０〜５．０ｍｍであることを特徴としている。
【００１２】
また、前記第一靴中敷き、第一靴及び第一靴下の隆起部の前後幅は、前記中敷き本体及び底部の後端から３０〜８０ｍｍであることを特徴としている。
【００１３】
また、前記一対の靴中敷きは、靴に挿入する一対の靴中敷きであって、他方の第二靴中敷きが、中敷き本体及び当該中敷き本体の後方領域の外縁後方に向かって斜め方向に傾斜した傾斜部を備え、着用者足部の踵骨の外側への移動を抑制することを特徴としている。
【００１４】
また、前記一対の履物類及び靴下類は、他方の第二靴の底部が、当該底部の後方領域の外縁後方に向かって斜め方向に傾斜した傾斜部を備え、着用者足部の踵骨の外側への移動を抑制することを特徴としている。
【００１５】
また、前記傾斜部の高さは、前記中敷き本体表面又は底部表面から１．０〜５．０ｍｍであり、当該傾斜部の傾斜角が１〜５度であることを特徴としている。
【００１６】
また、前記傾斜部の前後幅は、前記中敷き本体又は底部の後端から３０〜８０ｍｍであることを特徴としている。なお、一対の靴中敷きは、靴内に挿入して使用される。
【００１７】
また、前記一対の靴中敷き、一対の履物類及び一対の靴下類は、前記隆起部又は傾斜部のいずれか又は両方において、所定の厚みのシートを積重して、前記隆起部の厚み又は傾斜部の高さ・傾斜角の調節が可能であることを特徴としている。
【発明の効果】
【００１８】
本発明に係る一対の靴中敷き、一対の履物類及び一対の靴下類によれば、一方の第一中敷き表面又は前記一方の底部表面に着用者の踵骨のみを持ち上げる隆起部を設けたことにより、着用者の身体重心を爪先側へと適切に移動させることができる。そのため、第一中敷きを円滑回旋方向と同側の靴中に挿入すれば、または、円滑回旋方向と同側の第一靴又は第一靴下の底部に隆起部を設けることにより、当該円滑回旋方向とは逆側への身体の回旋運動を促進させることができる。
【００１９】
また、前記隆起部の高さを１．０ｍｍ〜５．０ｍｍとした僅かな高さの隆起により、前記効果とともに、着用者が隆起部の厚みに違和感なく履物類又は靴下類を着用することができる。
【００２０】
また、前記隆起部の前後幅を前記中敷き本体又は底部の後端から３０ｍｍ〜８０ｍｍとしたことにより、前記効果とともに、着用者の靴のサイズ又は着用者の足裏の形状にかかわらず、本発明の一対の靴中敷き、一対の履物類又は一対の靴下類を汎用的に利用することができる。また、これらの一対の靴中敷きは、靴に挿入して使用するものであって、当該靴を着用することにより、着用者は前記効果を得ることができる。
【００２１】
また、他方の第二靴中敷き又は他方の底部に、その後方領域の外縁後方に向かって斜め方向に傾斜した傾斜部を設けたことにより、着用者足部の踵骨の過剰な外側への傾斜を抑制することができる。そのため、第二中敷きを各個人の円滑回旋方向とは逆側の靴中に挿入すれば、または、第二靴又は第二靴下を円滑回旋方向とは逆側の足に着用すれば、円滑回旋方向とは逆側への回旋運動時における踵骨の過剰な外側傾斜を抑制でき、継続的に反復する回旋運動による足首の捻挫や膝の靱帯損傷等の障害の発生を予防することができる。
【００２２】
また、前記傾斜部の高さを１．０ｍｍ〜５．０ｍｍ、傾斜角を１〜５度とした僅かな傾斜により、前記効果とともに、着用者が前記傾斜部の厚みに違和感なく靴を着用することができる。
【００２３】
また、前記傾斜部の前後幅を前記中敷き本体又は底部の後端から３０〜８０ｍｍとしたことにより、着用者の靴のサイズ又は着用者の足裏の形状にかかわらず、前記効果とともに、本発明の一対の靴中敷き、一対の履物類又は一対の靴下類を汎用的に利用することができる。
【００２４】
さらに、所定の厚みのシートを積重すれば、前記隆起部の高さ又は傾斜部の高さ・傾斜角の調節が可能であるため、着用者の足のサイズや形状に応じて、着用者の足に適合した一対の靴中敷き、一対の履物類又は一対の靴下類を容易に形成することができる。
【図面の簡単な説明】
【００２５】
【図１】本発明に一対の靴中敷きの構造を示す図である。
【図２】一対の靴中敷きの構造を示す図である。
【図３】一対の靴中敷きの使用状態を示す図である。
【図４】一対の履物類の構造を示す図である。
【図５】一対の履物類の構造を示す図である。
【図６】一対の靴下類の構造を示す図である。
【図７】一対の靴下類の構造を示す図である。
【発明を実施するための形態】
【００２６】
以下、図面に基づいて本発明を具体的に説明する。本実施例においては、身体が左方向に回旋する傾向にある場合、すなわち、身体の左側が円滑回旋方向である場合に基づき、本発明に係る一対の靴中敷きを説明する。なお、身体の右側が円滑回旋方向である場合は、以下の説明とは左右が逆になるため、説明は省略する。
【００２７】
まず、図１のうち、図１（ａ）は、本発明に係る一対の靴中敷きのうち一方の第一中敷き１の構造を示す平面図であり、図１（ｂ）は、そのＡ−Ａ断面図である。当該第一中敷き１は、中敷き本体２と当該中敷き本体２の後方領域に形成された隆起部３とから構成されている。
【００２８】
中敷き本体２は、靴内に挿入される一般的な中敷き本体２であって、合成樹脂、布又は革等のシート状により形成されている。
【００２９】
前記隆起部３は、前記中敷き本体２の表面の後方領域であって、着用者の踵部当接面近傍において、前後幅４５ｍｍ、横幅６０ｍｍの範囲で、中敷き本体２の表面から２．０ｍｍの高さで隆起し、着用者足部の種子骨から踵骨まで側面視で湾曲する骨部のうち踵骨のみを持ち上げるように形成されている。
【００３０】
このように、足部の骨のうち踵骨のみを持ち上げることにより、着用者の身体重心が適切に爪先側に移動する。そして、本実施例では、左側が円滑回旋方向であるため、当該第一中敷き１を左側の靴に挿入すると、右側への回旋運動時に、着用者の踵部方向への重心移動が改善され、爪先側に身体重心が適切に移動し、右側への回旋運動を円滑に行うことができるようになる。
【００３１】
また、前記隆起部３を中敷き本体２の表面から僅か２．０ｍｍの高さで隆起させていることにより、着用者は一般的な中敷きと同様に隆起部３の厚みに違和感なく靴を着用することができる。
【００３２】
また、当該隆起部３の前後幅、横幅及び高さはこれに限られるものではなく、着用者の足のサイズや形状に応じて、前後幅を３０ｍｍ〜８０ｍｍ、中敷き本体２の表面からの高さも１．０ｍｍ〜５．０ｍｍの範囲で変更可能であり、また、横幅は、靴の横幅に応じて変更すればよい。当該範囲においても、前記第一中敷き１と同様の効果を得ることができ、当該範囲内であれば、着用者の靴のサイズ又は着用者の足裏の形状にかかわらず、第一中敷き１を汎用的に利用することができる。
【００３３】
ここで、中敷き本体２の爪先側から踵側まで緩やかに傾斜させて踵部を持ち上げるのは、着用者の身体重心が爪先方向に移動し過ぎてしまい、土踏まずのアーチが下がったり、膝が曲がったりするという身体にとって望ましくない反応が出るため、好ましくなく、本発明に係る第一中敷き１のように、踵部当接面近傍のみを隆起させ、踵骨のみを持ち上げるように隆起部３を形成するのが好ましい。
【００３４】
次に、第二中敷き４について図２を用いて説明する。図２のうち、図２（ａ）は、第二中敷き４の構造を示す平面図であり、図２（ｂ）は、第二中敷き４の構造を示すＢ−Ｂ断面図である。当該第二中敷き４は、前記第一中敷き１の中敷き本体２と同様の中敷き本体２と当該中敷き本体２の後方領域に形成された傾斜部５とから構成されている。
【００３５】
傾斜部５は、前記中敷き本体２の後方領域の外縁後方に向かって斜め方向に傾斜して形成されている。具体的には、当該傾斜部５は、中敷き本体２の後方外縁の後端から爪先方向に向かって４５ｍｍの位置から後端側に向かって前後方向に対して４５度の斜めラインを傾斜開始ラインとし、当該ラインから外縁後方に向かってその高さが２．０ｍｍになるまで傾斜角度２度で傾斜するように形成されている。したがって、当該傾斜部５は、中敷き本体２の後端から４５ｍｍの前後幅、高さ２．０ｍｍ及び傾斜角２度で中敷き本体２の後方領域に形成されている。
【００３６】
このように第二中敷き４に傾斜部５を設けたことにより、着用者足部の踵骨の過剰な外側への傾斜を抑制することができる。本実施例では、左側が円滑回旋方向であるため、当該第一中敷き４を右側の靴に挿入すると、右側への回旋運動時に、踵骨の過剰な外側傾斜を抑制でき、継続的に反復する身体の回旋運動による足首の捻挫や膝の靱帯損傷等の障害の発生を予防することができるようになる。
【００３７】
また、前記傾斜部５を中敷き本体２の表面から僅か２．０ｍｍの高さとしたことにより、着用者は一般的な中敷きと同様に傾斜部５の厚みに違和感なく靴を着用することができる。
【００３８】
また、当該傾斜部５の前後幅、高さ及び傾斜角はこれに限られるものではなく、着用者の足のサイズや形状に応じて、前後幅を３０ｍｍ〜８０ｍｍ、中敷き本体２の表面からの高さを１．０ｍｍ〜５．０ｍｍ、傾斜角を１度〜５度の範囲で変更可能である。当該範囲においても、前記第二中敷き４と同様の効果を得ることができ、当該範囲内であれば、着用者の靴のサイズ又は着用者の足裏の形状にかかわらず、第二中敷き４を汎用的に利用することができる。なお、当該傾斜部５を１．０ｍｍ、２．０ｍｍ、３．０ｍｍの各高さとし、各高さにおいて踵骨の過剰な外側傾斜の抑制について比較検討したところ、当該傾斜部５を２．０ｍｍの高さにした場合に、最も円滑な回旋運動が生じることがわかった。
【００３９】
図３は、左側が円滑回旋方向である場合、前記第一中敷き１及び第二中敷き４からなる一対の靴中敷きの使用状態を示す図である。ここでは、図示の通り、ゴルフのスイングを例に本発明に係る一対の靴中敷きの使用状態について説明する。
【００４０】
まず、図示のゴルファーは、右利きであって、通常一般的な中敷きを挿入したゴルフシューズを着用してスイングした場合、本実施例では、当該着用者の身体的特徴として、左側が円滑回旋方向であるから、左足の踵部に身体重心が移動してフォロースルーは円滑に回旋運動ができるものの、バックスイング時の回旋運動は可動範囲が狭くなり、スイングのトップまでの回旋運動が窮屈になる上に、バックスイング時に右足の踵骨が過剰に外側傾斜することから当該回旋運動を継続的に反復すると捻挫や膝の靱帯損傷等の障害が生じるおそれがある。
【００４１】
そこで、左足に第一中敷き１及び右足に第二中敷き４を挿入したゴルフシューズをゴルファーが着用すると、第一中敷き１の隆起部３により左足の身体重心が爪先側に移動してバックスイングが円滑になり、また、第二中敷き４の傾斜部５により右足の踵骨が過剰に外側傾斜するのを抑制して前記障害を予防することができる。このように、ゴルファーが本発明に係る一対の靴中敷きを挿入したゴルフシューズを着用すれば、円滑で適切なゴルフスイングを行うことができ、パフォーマンスの向上を図ることができる。
【００４２】
本使用例では、右利きで左側が円滑回旋方向である身体的特徴のゴルファーについて説明したが、逆に、右側が円滑旋回方向である身体的特徴のゴルファーであれば、左足に第二中敷き４及び右足に第一中敷き１を挿入したゴルフシューズを着用すれば、円滑で適切なゴルフスイングを行うことができるようになる。
【００４３】
また一方で、本発明に係る一対の靴中敷きは、一方の靴中敷きを第一中敷き１とし、他方の靴中敷きを一般的に市販されている平面状の中敷きとした場合であっても、円滑回旋方向と同側の靴中敷きを第一中敷き１とすることにより、円滑な回旋運動を行うことはでき、前述の通り、他方の靴中敷きを第二中敷き４とすることにより、前記身体への障害の予防も含め、さらに円滑な回旋運動を行うことができるようになる。
【００４４】
また、当該第一中敷き１の隆起部３及び第二中敷き４の傾斜部５は、特に図示はしないが、所定の厚みで形成された複数枚のシートを積み重ねることにより、前記隆起部３及び傾斜部５の高さを形成してもよい。これにより、シートを積み重ねる枚数を増減させれば、前記隆起部３の高さ又は傾斜部５の高さ・傾斜角の調節が可能であるため、着用者の足のサイズや形状に応じて、着用者の足に適合した一対の靴中敷きを容易に形成することができる。
【００４５】
次に、本発明に係る一対の履物類について、図４及び図５を用いて具体的に説明する。なお、本実施例の一対の履物類の例として図示のような靴（革靴）を用いて説明する。当該一対の履物類は、中敷きを挿入するものではなく、一方の第一靴１１の底部１２に設けた隆起部１３と、他方の第二靴１４の底部１２に設けた傾斜部１５を備えている。図４のうち、図４（ａ）は、第一靴１１の構造を示す平面図であり、図４（ｂ）は、そのＣ−Ｃ断面図であり、図５のうち、図５（ａ）は、第二靴１４の構造を示す平面図であり、図５（ｂ）は、そのＤ−Ｄ断面図である。
【００４６】
一方の第一靴１１は、その本底１６上方の底部１２の後方領域に隆起部１３が形成されている。当該隆起部１３は、着用者の踵部当接面近傍において、前後幅４５ｍｍ、横幅６０ｍｍの範囲で、底部１２の表面から２．０ｍｍの高さで隆起し、着用者足部の種子骨から踵骨まで側面視で湾曲する骨部のうち踵骨のみを持ち上げるように形成されている。
【００４７】
当該隆起部１３の前後幅、横幅及び高さはこれに限られるものではなく、着用者の足のサイズや形状に応じて、前後幅を３０ｍｍ〜８０ｍｍ、底部１２の表面からの高さも１．０ｍｍ〜５．０ｍｍの範囲で変更可能であり、また、横幅は、靴の横幅に応じて変更すればよい。
【００４８】
他方の第二靴１４は、前記底部１２の後方領域に傾斜部１５が形成されている。当該傾斜部１５は、前記底部１２の後方領域の外縁後方に向かって斜め方向に傾斜して形成されている。具体的には、当該傾斜部１５は、底部１２表面の後方外縁の後端から爪先方向に向かって４５ｍｍの位置から後端側に向かって前後方向に対して４５度の斜めラインを傾斜開始ラインとし、当該ラインから外縁後方に向かってその高さが２．０ｍｍになるまで傾斜角度２度で傾斜するように形成されている。したがって、当該傾斜部１５は、底部１２の後端から４５ｍｍの前後幅、高さ２．０ｍｍ及び傾斜角２度で、底部１２の後方領域に形成されている。
【００４９】
また、当該傾斜部１５の前後幅、高さ及び傾斜角はこれに限られるものではなく、着用者の足のサイズや形状に応じて、前後幅を３０ｍｍ〜８０ｍｍ、底部１２の表面からの高さを１．０ｍｍ〜５．０ｍｍ、傾斜角を１度〜５度の範囲で変更可能である。
【００５０】
このような一対の履物類による効果は、前記実施例の一対の靴中敷きを靴内に挿入する必要がないことを除き、前記実施例の一対の靴中敷きを挿入した一対の履物類と同様である。
【００５１】
また、本発明に係る一対の履物類は、一方の靴を第一靴１１とし、他方の靴を一般的に市販されている平面状の底部の靴とした場合であっても、円滑回旋方向と同側の靴中敷きを第一靴１１とすることにより、円滑な回旋運動を行うことはでき、前述の通り、他方の靴を第二靴１４とすることにより、前記身体への障害の予防も含め、さらに円滑な回旋運動を行うことができるようになる。
【００５２】
また、前記実施例の第一中敷き１の隆起部３及び第二中敷き４の傾斜部５と同様に、当該一対の履物類にかかる隆起部１３及び傾斜部１５も、所定の厚みで形成された複数枚のシートを積み重ねることにより、前記隆起部１３及び傾斜部１５の高さを形成してもよい。これにより、シートを積み重ねる枚数を増減させれば、前記隆起部１３の高さ又は傾斜部１５の高さ・傾斜角の調節が可能であるため、着用者の足のサイズや形状に応じて、着用者の足に適合した一対の履物類を容易に形成することができる。
【００５３】
また、当該実施例の一対の履物類は、図示のような靴（革靴）を例として説明したが、当該履物類は、これに限られず、スニーカー、スポーツ用シューズ又はサンダル等、歩行時等に足に着用する履物であればなんでもよい。
【００５４】
次に、本願発明に係る一対の靴下類について図６及び図７を用いて説明する。なお、本実施例に係る一対の靴下類として、一般的に縫製された短靴下を用いて説明する。当該一対の靴下類は、一方の第一靴下２１の底部２２に設けた隆起部２３と、他方の第二靴下２４の底部２２に設けた傾斜部２５を備えている。図６のうち、図６（ａ）は、第一靴下２１の構造を示す平面図であり、図６（ｂ）は、そのＥ−Ｅ断面図であり、図７のうち、図７（ａ）は、第二靴下２４の構造を示す平面図であり、図７（ｂ）は、そのＦ−Ｆ断面図である。
【００５５】
一方の第一靴下２１は、その底部２２の後方領域に隆起部２３が形成されている。当該隆起部２３は、着用者の踵部当接面近傍において、前後幅４５ｍｍ、横幅６０ｍｍの範囲で、底部２２の表面から２．０ｍｍの高さで隆起し、着用者足部の種子骨から踵骨まで側面視で湾曲する骨部のうち踵骨のみを持ち上げるように形成されている。また、当該隆起部２３は、板状に形成したシリコン等の弾性材を第一靴下２１の底部２２に貼付等して形成されている。
【００５６】
当該隆起部２３の前後幅、横幅及び高さはこれに限られるものではなく、着用者の足のサイズや形状に応じて、前後幅を３０ｍｍ〜８０ｍｍ、底部２２の表面からの高さも１．０ｍｍ〜５．０ｍｍの範囲で変更可能であり、また、横幅は、底部２２の横幅に応じて変更すればよい。
【００５７】
他方の第二靴下２４は、その底部２２の後方領域に傾斜部２５が形成されている。当該傾斜部２５は、前記底部２２の後方領域の外縁後方に向かって斜め方向に傾斜して形成されている。具体的には、当該傾斜部２５は、底部２２表面の後方外縁の後端から爪先方向に向かって４５ｍｍの位置から後端側に向かって前後方向に対して４５度の斜めラインを傾斜開始ラインとし、当該ラインから外縁後方に向かってその高さが２．０ｍｍになるまで傾斜角度２度で傾斜するように形成されている。したがって、当該傾斜部２５は、底部２２の後端から４５ｍｍの前後幅、高さ２．０ｍｍ及び傾斜角２度で、底部２２の後方領域に形成されている。また、当該傾斜部２４は、板状に形成したシリコン等の弾性材を第二靴下２４の底部２２に貼付等して形成されている。
【００５８】
また、当該傾斜部２５の前後幅、高さ及び傾斜角はこれに限られるものではなく、着用者の足のサイズや形状に応じて、前後幅を３０ｍｍ〜８０ｍｍ、底部２２の表面からの高さを１．０ｍｍ〜５．０ｍｍ、傾斜角を１度〜５度の範囲で変更可能である。
【００５９】
このような一対の靴下類による効果は、基本的には、前記実施例の一対の履物類と同様であり、さらには、屋内で靴等を着用することができない場合であっても、前記一対の履物類と同様の効果を得ることができる。
【００６０】
また、本発明に係る一対の靴下類は、一方の靴下を第一靴下２１とし、他方の靴下を一般的に市販されている平面状の底部の靴下とした場合であっても、円滑回旋方向と同側の靴中敷きを第一靴下２１とすることにより、円滑な回旋運動を行うことはでき、前述の通り、他方の靴下を第二靴２４とすることにより、前記身体への障害の予防も含め、さらに円滑な回旋運動を行うことができるようになる。
【００６１】
また、前記実施例の第一中敷き１の隆起部３及び第二中敷き４の傾斜部５と同様に、当該一対の靴下類にかかる隆起部２３及び傾斜部２５も、所定の厚みで形成された複数枚のシートを積み重ねることにより、前記隆起部２３及び傾斜部２５の高さを形成してもよい。これにより、シートを積み重ねる枚数を増減させれば、前記隆起部２３の高さ又は傾斜部２５の高さ・傾斜角の調節が可能であるため、着用者の足のサイズや形状に応じて、着用者の足に適合した一対の靴下類を容易に形成することができる。
【００６２】
また、当該実施例の一対の靴下類は、図示のような短靴下を例として説明したが、当該靴下類は、これに限られず、ハイソックスやパンティーストッキング等、足に着用する靴下類であればなんでもよい。
【産業上の利用可能性】
【００６３】
上記実施例の一対の靴中敷きでは、ゴルフのスイングを例にして本発明を説明したが、ゴルフ以外の野球やテニス等、身体を回旋させてスイングするスポーツであれば利用可能である。
【符号の説明】
【００６４】
１    第一中敷き
２    中敷き本体
３    隆起部
４    第二中敷き
５    傾斜部
１１  第一靴
１２  底部
１３  隆起部
１４  第二靴
１５  傾斜部
１６  本底
２１  第一靴下
２２  底部
２３  隆起部
２４  第二靴下
２５  傾斜部
【図１】
2018114271.tif 000003
【図２】
2018114271.tif 000004
【図３】
2018114271.tif 000005
【図４】
2018114271.tif 000006
【図５】
2018114271.tif 000007
【図６】
2018114271.tif 000008
【図７】
2018114271.tif 000009